(57)【要約】【課題】コネクタ部やケース体の安全性を高めることができ、且つスペース効率に優れた基板カバーを具備する遊技機を提供することを目的とする。【解決手段】  本発明に係る遊技機は、遊技に係る所定のデータが格納された記憶素子が内蔵されたＲＯＭカートリッジ４６と、ＲＯＭカートリッジ４６が搭載された演出制御基板４５と、ＲＯＭカートリッジ４６が搭載された演出制御基板４５を覆う基板カバー４７と、基板カバー４７から演出制御基板４５とは反対方向に突出して設けられ、ＲＯＭカートリッジ４６を覆うとともに当該ＲＯＭカートリッジ４６の移動を規制する規制カバー４８とを有する。【選択図】      図３
2006102473.tif 000002
【特許請求の範囲】
【請求項１】
遊技に係る所定のデータが格納された電子部品が内蔵されたケース体と、
前記ケース体が搭載された制御基板と、
前記ケース体が搭載された前記制御基板を覆う基板カバーと、
前記基板カバーから前記制御基板とは反対方向に突出して設けられ、前記ケース体を覆うとともに当該ケース体の移動を規制する規制カバーと、
を有することを特徴とする遊技機。
【請求項２】
前記基板カバーの表面部には、所定の基板が配置されていることを特徴とする請求項１記載の遊技機。
【請求項３】
前記規制カバーは、前記基板カバーと一体的に形成されていることを特徴とする請求項１または２記載の遊技機。
【請求項４】
前記基板カバーは、
前記ケース体が突出する開口部を有し、
前記規制カバーは、
前記基板カバーに着脱可能に設けられ、前記開口部から突出した前記ケース体の少なくとも一部を覆うことを特徴とする請求項１〜３の何れか一項に記載の遊技機。
【請求項５】
前記規制カバーは、
前記開口部から突出した前記ケース体の少なくとも一部および前記所定の基板を覆うことを特徴とする請求項４記載の遊技機。
【請求項６】
前記所定の基板は、
配線を介して前記制御基板に接続されることを特徴とする請求項２〜５の何れか一項に記載の遊技機。
【請求項７】
前記規制カバーは、
裏面に前記ケース体の移動を規制する規制部を備えたことを特徴とする請求項１〜６の何れか一項に記載の遊技機。
【請求項８】
前記規制カバーは、
前記所定の基板と係合する係合部を備えたことを特徴とする請求項５〜７の何れか一項に記載の遊技機。
【請求項９】
前記規制カバーは、
透明性を有する部材で構成されることを特徴とする請求項１〜８の何れか一項に記載の遊技機。
【発明の詳細な説明】
【技術分野】
【０００１】
本発明は、遊技機に関し、特に遊技に係る所定のデータが格納された電子部品等が内蔵されたケース体を搭載する制御基板を具備するパチンコ遊技機やスロットマシン等の遊技機に適用して有効な技術に関するものである。
【背景技術】
【０００２】
従来、遊技に係る所定のデータ（プログラムや画像データ等）を記憶する記憶素子（ＲＯＭ）が実装された制御基板が収容された制御基板ケースを具備する遊技機が知られている。また、上述のＲＯＭを容易に交換することができるように、ＲＯＭが内蔵されたケース体である記憶素子ケース（ＲＯＭカートリッジ）がコネクタ部を介して制御基板に取り付けられた遊技機も知られている（例えば、特許文献１）。
【特許文献１】特開２００３−１６４６３５号公報
【発明の開示】
【発明が解決しようとする課題】
【０００３】
しかしながら、上述の遊技機においては、上述のケース体つまり記憶素子ケース（ＲＯＭカートリッジ）が、制御基板に実装されたコネクタ部を介して、制御基板に取り付けられているため、記憶素子ケースや制御基板に振動等が加えられると、コネクタ部が損傷する可能性や記憶素子ケースが制御基板から外れる可能性があるという問題があった。
【０００４】
ここで、上記の問題を解決しようとして例えば単に制御基板やＲＯＭカートリッジ等をカバーで覆うと、遊技機内のスペースが圧迫されてしまうという新たな問題が生じるおそれがあった。
【０００５】
そのため、コネクタ部の損傷や記憶素子ケースが振動等により制御基板から外れることを防止することができ、且つスペース効率の良い機構の遊技機が求められていた。
【０００６】
そこで、本発明は、コネクタ部やケース体の安全性を高めることができ、且つスペース効率に優れた基板カバーを具備する遊技機を提供することを目的とする。
【課題を解決するための手段】
【０００７】
上記課題を解決するため、本発明に係る遊技機は、遊技に係る所定のデータが格納された電子部品（記憶素子、ＲＯＭなど）が内蔵されたケース体（ＲＯＭカートリッジ４６）と、ケース体が搭載された制御基板（演出制御基板４５）と、ケース体が搭載された制御基板を覆う基板カバー（基板カバー４７，８４，９０）と、基板カバーから制御基板とは反対方向に突出して設けられ、ケース体を覆うとともに当該ケース体の移動を規制する規制カバー（規制カバー４８，４９，８５）とを有することを特徴とする。
【０００８】
これにより、ケース体に加えられる振動等によって、ケース体が制御基板から外れることを防止できるとももに、ケース体を制御基板に取り付けるためのコネクタ部が損傷することを防止することができる。さらに、基板カバーの表面部は、ケース体の移動を規制する規制カバーの突出端よりも後退しているため、その分、空きスペースを確保することができる。
【０００９】
本発明の好ましい形態において、基板カバーの表面部には、所定の基板（例えば基板６０ａ）が配置されていることを特徴とする。
【００１０】
これにより、基板カバーの表面部に確保されている空きスペースを有効に利用することができるので、遊技機内部のスペース効率を高めることができ、結果として、遊技機をよりコンパクトにすることが可能となる。
【００１１】
本発明のさらに好ましい形態において、規制カバーは、基板カバーと一体的に形成されていることを特徴とする。
【００１２】
これにより、規制カバーおよび基板カバーの組立コストを節約することができる。
【００１３】
本発明のさらに好ましい形態において、基板カバーは、ケース体が突出する開口部（基板カバー開口部９０ｂ）を有し、規制カバーは、基板カバーに着脱可能に設けられ、開口部から突出したケース体の少なくとも一部を覆うことを特徴とする。
【００１４】
これにより、規制カバーは基板カバーに着脱可能に設けられているため、当該規制カバーを取り外すことによってケース体を交換することができる。そのため、取り外しに手間のかかる基板カバーを取り外すことなくケース体を交換することができ、作業効率を向上させることができる。
【００１５】
本発明のさらに好ましい形態において、規制カバーは、開口部から突出したケース体の少なくとも一部および所定の基板を覆うことを特徴とする。
【００１６】
これにより、ケース体および所定の基板の双方を保護することができ、より安全性を向上させることができる。
【００１７】
また、基板カバーは、制御基板の上部の保護と、所定の基板の下部の保護を兼ねるようになるため、部品点数を減らすこともでき、コストの削減が可能となる。
【００１８】
また、規制カバーを取り外すだけでケース体や所定の基板を交換することができるので、作業効率を損なうこともない。
【００１９】
本発明のさらに好ましい形態において、所定の基板は、配線（ハーネス）を介して制御基板に接続されることを特徴とする。
【００２０】
所定の基板は制御基板に接近して配置されるので、両基板を接続する配線を短くすることもでき、そのため、コストダウンが可能になるとともに、引っ掛け等により配線が損傷する危険性を減少させることができる。
【００２１】
本発明のさらに好ましい形態において、規制カバーは、裏面にケース体の移動を規制する規制部（規制部４９ｆ）を備えたことを特徴とする。
【００２２】
これにより、ケース体の移動をより確実に規制することができるため、ケース体に加えられる振動等によってケース体が制御基板から外れることをより確実に防止できるとともに、ケース体を制御基板に取り付けるためのコネクタ部が損傷することをより確実に防止することができる。
【００２３】
本発明のさらに好ましい形態において、規制カバーは、所定の基板と係合する係合部（係合爪４９ｄ）を備えたことを特徴とする。
【００２４】
これにより、所定の基板が配線等を介して制御基板等に接続されていれば、規制カバーを取り外したとしても、規制カバーが当該配線を介して制御基板等に取り付いた状態となるため、カバーを紛失する虞がなく、安全性を高めることができる。
【００２５】
本発明のさらに好ましい形態において、規制カバーは、透明性を有する部材で構成されることを特徴とする。
【００２６】
これにより、規制カバー取り外さずともケース体や所定の基板等を視認することができるため、点検が容易になるとともに、ゴト行為等の不正行為等を発見しやすくなる。
【発明の効果】
【００２７】
本発明によれば以下の効果を奏することができる。
【００２８】
すなわち、本発明によれば、基板カバーから制御基板とは反対方向に突出して設けられた規制カバーが、ケース体を覆うとともに当該ケース体の移動を規制するので、ケース体に加えられる振動等によって、ケース体が制御基板から外れることを防止できるとももに、ケース体を制御基板に取り付けるためのコネクタ部が損傷することを防止することができる。さらに、基板カバーの表面部は、ケース体の移動を規制する規制カバーの突出端よりも後退しているため、その分、空きスペースを確保することができる。
【発明を実施するための最良の形態】
【００２９】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００３０】
（実施の形態１）
【００３１】
図１は実施の形態１に係る遊技機を示す斜視図、図２は図１の遊技機の本体枠の背面側を示す説明図、図３は実施の形態１に係る制御基板ケースの分解斜視図、図４は実施の形態１に係る基板カバーの表面部に基板を搭載した場合を示す説明図、図５は図４に係る制御基板ケースの断面図である。
【００３２】
図１に示すように、パチンコ遊技機（遊技機）１は、遊技盤２ａが装着された本体枠３ａがヒンジを介してベース枠３ｂに回動可能に取り付けられ、これら本体枠３ａおよびベース枠３ｂで遊技機本体３が構成されている。そして、このような遊技機本体３に対して、遊技盤２ａを視認可能に被うガラス扉４、およびガラス扉４の下側に位置する皿ユニット５が取り付けられている。これらガラス扉４および皿ユニット５は、その一端が遊技機本体３に回動可能に軸支されており、他端が遊技機本体３に係合するようになっている。
【００３３】
また、本体枠３ａの裏面側には液晶ユニット４０が備えられている。また、液晶ユニット４０には、特別図柄（または装飾図柄）および所定の演出画像（リーチ演出画像等）が表示される。本実施の形態において、液晶ユニット４０は、遊技盤２ａを通して視認可能になっている。
【００３４】
図１において、遊技盤２ａの下方には、前述のように皿ユニット５が配置されている。皿ユニット５には、払い出された遊技球および遊技領域に打ち込まれる遊技球が貯留される上皿５ａが上部に配置され、払い出しにより上皿５ａからオーバーフローした遊技球が貯留される下皿５ｂが下部に配置されている。また、皿ユニット５の右側には、レール６を介して遊技盤２ａの遊技領域へ遊技球を打ち込む際に回動操作される発射ハンドル７が設けられている。さらに、遊技終了時などにおいて上皿５ａに貯留された遊技球を下皿５ｂに移動させて取り出す場合に操作されるシャッタレバー１０が設けられている。
【００３５】
なお、ガラス扉４の上部の左右には、スピーカ８ａ，８ｂがそれぞれ配置されている。
【００３６】
次に、図２を用いて本体枠３ａの背面側の構成について説明する。
【００３７】
図２は、本体枠３ａの背面側を示す説明図である。
【００３８】
同図に示すように、本体枠３ａの背面には、遊技機１の動作を実現するためのさまざまな電子部品や電子部品等を実装した基板等が搭載されている。
【００３９】
例えば、本体枠３ａの背面中央には、予め設定されたプログラムに従ってパチンコ機１の遊技動作を行うメインＣＰＵ（超小型演算処理装置）等を実装する主制御基板１００が、本体枠３ａの背面の中央よりやや上右側にはＡＣ電源の取り込みや基板間の信号の中継を行う枠中継基板１３０が、本体枠３ａの背面の中央よりやや下左側には各電子部品が動作するために必要な電圧の電源を生成する電源基板１５０が、本体枠３ａの背面の中央よりやや下右側には、賞球や貸球等を皿ユニット５に向けて払出す払出装置（図示せず）を駆動制御する払出制御基板１７０がそれぞれ搭載されている。なお、本体枠３ａの背面の上部には遊技球が貯留される貯留タンク４００が配置されている。
【００４０】
そして、本発明の要部であり演出制御基板４５を備える制御基板ケース５０（詳しくは後述する。）は、本体枠３ａの背面の中央よりやや上左側、すなわち、主制御基板１００の上方に搭載されている。但し、これらＣＰＵなどの電子部品を実装した主制御基板１００などの搭載位置は一例に過ぎず、また、本発明の遊技機に搭載される電子部品や基板などは列挙されたものに限定されない。つまり、電子部品としては、他にもソレノイドなど、電力の供給を受けて動作する種々の部品を適用することが可能であり、また主制御基板１００を、本発明の要部である制御基板ケース５０内に含めるなど、基板としての構成には様々な態様が考えられる。
【００４１】
次に、図３〜図５を用いて本体枠３ａの背面側に搭載されている制御基板ケースの構成について説明する。
【００４２】
図３は実施の形態１に係る制御基板ケースの分解斜視図である。
【００４３】
制御基板ケース５０は、演出制御基板４５と演出制御基板４５を覆う基板カバー４７とを備えている。
【００４４】
演出制御基板４５の表面部４５ａには、特別図柄等および所定の演出画像を液晶ユニット４０に表示させるＣＰＵが実装されている。また、演出制御基板４５の表面部４５ａには、特別図柄等および所定の演出画像に係る画像データが格納された電子部品（記憶素子、ＲＯＭ）が内蔵されたＲＯＭカートリッジ（ケース体）４６が、コネクタ部（図示せず）を介して着脱可能に取り付けられている。
【００４５】
ここで、本実施の形態の演出制御基板４５は、液晶ユニット４０の画像表示制御や、遊技機１の各所に配置されているランプ・ＬＥＤ（図示せず）等の発光表示制御、スピーカ８ａ，８ｂからの音出力制御を実行する。
【００４６】
なお、ＲＯＭカートリッジ４６は、演出制御基板４５の表面部４５ａに対して平行な断面が略長方形となっている。
【００４７】
基板カバー４７は、図３および図４に示すように、規制カバー４８と一体的に形成されている。規制カバー４８は、基板カバー４７の表面部４７ａから、演出制御基板４５とは反対方向に突出して設けられている。そして、当該規制カバー４８は、ＲＯＭカートリッジ４６を覆うとともに当該ＲＯＭカートリッジ４６の移動を規制する。
【００４８】
なお、規制カバー４８は、成型などにより当初より基板カバー４７と一体不可分に形成されていてもよく、また、基板カバー４７とは別体で形成されたものを固定することにより一体化してもよい。そして、本明細書でいう一体的とは、両者を含んだ概念である。
【００４９】
ここで、基板カバー４７は、基板カバー４７の４箇所の隅部がそれぞれ演出制御基板４５の表面部４５ａの４箇所の隅部に例えばネジ等で固定されて取り付けられるようになっている。これにより、基板カバー４７は、ＲＯＭカートリッジ４６等が取り付けられた演出制御基板４５の表面部４５ａを覆っている。
【００５０】
なお、図３において、制御素子等は、図示が省略されている。
【００５１】
また、本実施の形態では、上述のように、基板カバー４７の表面部４７ａは、ＲＯＭカートリッジ４６の移動を規制する規制カバー４８の突出端よりも後退しているため、その分、空きスペースを確保することができる。そのため、例えば、図３および図４に示すように、当該空きスペースを利用して制御素子（ＣＰＵ）や記憶素子（ＲＯＭ）や各種インターフェース等の電子部品を搭載した基板ケース６０などを配置することが可能である。
【００５２】
なお、図３に示すように、基板ケース６０は、電子部品を搭載する基板６０ａと、この基板６０ａを覆う基板カバー６０ｂを備えている。もちろん、上記の空きスペースには、基板ケース６０に限られず、遊技機１を構成するために必要なさまざまな部品を搭載することが可能である。
【００５３】
図５は、図４におけるＡ方向から見た制御基板ケース５０の一部を示す断面図である。
【００５４】
同図に示すように、規制カバー４８は、基板カバー４７から演出制御基板４５の表面部４５ａと反対方向に突出して内部に空間を有する凸部となっている。そして、当該空間にＲＯＭカートリッジ４６が嵌め込まれることにより、ＲＯＭカートリッジ４６が規制カバー４８に覆われる。これにより、当該ＲＯＭカートリッジ４６の移動が規制されるようになっている。
【００５５】
また、本実施の形態において、基板ケース６０の表面部６０ｂと規制カバー４８の表面とはほぼ同一面上になっている（図５）。つまり、基板ケース６０の高さは、規制カバー４８の突出端とほぼ同一である。但し、両者の高さは同一でなくともよい。
【００５６】
以上、本発明の実施の形態を説明したが、これは本発明を具体的に例示したに過ぎず、特に本発明を限定するものではない。
【００５７】
また、本実施の形態においては、規制カバー４８は、記憶素子（ＲＯＭ）が内蔵されたＲＯＭカートリッジ４６の移動を規制することにより、当該ＲＯＭカートリッジ４６およびＲＯＭカートリッジ４６を演出制御基板４５に取り付けるためのコネクタ部を保護しているが、これに限られず、規制カバー４８は、ＲＯＭカートリッジ４６以外の電子部品の移動を規制することにより当該電子部品を保護してもよい。例えば、演出制御基板４５に実装された制御素子（ＣＰＵ等）の移動を規制することにより当該制御素子（ＣＰＵ等）を保護するようにしてもよい。
【００５８】
また、本実施の形態において、演出制御基板４５には、特別図柄等および所定の演出画像を液晶ユニット４０に表示させるＣＰＵが実装されているが、これに限られず、実装されていなくともよいし、インターフェース等の他の電子部品が実装されるようにしてもよい。
【００５９】
なお、本実施の形態において、ＲＯＭカートリッジ４６は、特別図柄等や所定の演出画像に係る画像データが記憶されたＲＯＭを内蔵しているが、これに限定されるものではなく、遊技に係る所定のプログラム等が格納されたＲＯＭを内蔵していてもよい。
【００６０】
さらに、本実施の形態において、規制カバー４８を形成する基板カバー４７は、前述の演出制御基板４５を覆うものとして説明したが、これに限定されるものではない。例えば、パチンコ機１の遊技動作を行うメインＣＰＵ（超小型演算処理装置）等を実装する主制御基板１００等を覆うものであってもよい。
【００６１】
また、本実施の形態において、基板カバー４７には、一つの規制カバー４８が形成されており、当該規制カバー４８は、一つのＲＯＭカートリッジ４６の移動を規制しているが、これに限られず、基板カバー４７に規制カバー４８を複数形成することにより、複数のＲＯＭカートリッジ４６の移動を規制できるようにしてもよい。また、一つの規制カバー４８で複数のＲＯＭカートリッジ４６を覆うことにより、複数のＲＯＭカートリッジ４６の移動を規制できるようにしてもよい。
【００６２】
このように、本実施の形態によれば、基板カバー４７から演出制御基板４５とは反対方向に突出して設けられた規制カバー４８が、ＲＯＭカートリッジ４６を覆うとともに当該ＲＯＭカートリッジ４６の移動を規制するので、ＲＯＭカートリッジ４６に加えられる振動等によって、ＲＯＭカートリッジ４６が演出制御基板４５から外れることを防止できるとももに、ＲＯＭカートリッジ４６を演出制御基板４５に取り付けるためのコネクタ部が損傷することを防止することができる。さらに、基板カバー４７の表面部４７ａは、ＲＯＭカートリッジ４６の移動を規制する規制カバー４８の突出端よりも後退しているため、その分、空きスペースを確保することができる。
【００６３】
また、本実施の形態によれば、基板カバー４７の表面部４７ａの空きスペースに電子部品を搭載した基板ケース６０が配置されるようにしているので、遊技機内部のスペース効率を高めることができ、結果として、遊技機１をよりコンパクトにすることが可能となる。
【００６４】
さらに、本実施の形態によれば、規制カバー４８は、基板カバー４７と一体的に形成されるようになっているので、規制カバー４８および基板カバー４７の組立コストを節約することができる。
【００６５】
（実施の形態２）
【００６６】
本実施の形態の遊技機は、実施の形態１の遊技機の機能の一部に変更を加え、以下に示す機能を有する。なお、ここでは、上述の実施の形態１の遊技機との相違点についてのみ説明する。
【００６７】
図６は実施の形態２に係る遊技機の本体枠の背面側を示す説明図である。
【００６８】
同図に示すように、制御基板ケース５０にはＲＯＭカートリッジ４６（図７）および基板６０ａ（図７）を覆う規制カバー４９が着脱可能に設けられている。
【００６９】
次に、図７〜１０を用いて図６に示す制御基板ケースの構成について説明する。
【００７０】
図７は実施の形態２に係る制御基板ケースの分解斜視図である。
【００７１】
本実施の形態の制御基板ケース５０は、演出制御基板４５と、演出制御基板４５の表面部４５ａを覆う基板カバー９０と、演出制御基板４５の裏面側を覆う基板シート４４とを備えている。なお、演出制御基板４５の表面部４５ａには、ハーネス（配線）を介して他の基板等に接続されるコネクタ部４５ｂが設けられている。
【００７２】
ここで、基板カバー９０は、実施の形態１の基板カバー４７と同様に基板カバー９０の４箇所の隅部がそれぞれ演出制御基板４５の表面部４５ａの４箇所の隅部に例えばネジ等で固定されて取り付けられるようになっている。これにより、基板カバー９０は、演出制御基板４５の表面部４５ａを覆っている。
【００７３】
また、基板カバー９０には、ＲＯＭカートリッジ４６の一部が突出する略長方形の開口部９０ｂが形成されている（図７〜図９参照）。そのため、ＲＯＭカートリッジ４６および基板カバー９０が演出制御基板４５の表面部４５ａに取り付けられると、ＲＯＭカートリッジ４６の一部が当該開口部９０ｂから突出するようになっている（図９参照）。
【００７４】
また、本実施の形態において、ＲＯＭカートリッジ４６の演出制御基板４５への着脱は、上記開口部９０ｂを介して行うことが可能となっている。つまり、基板カバー９０を取り外さなくとも、上記開口部９０ｂを利用することでＲＯＭカートリッジ４６の交換を行うことができる。
【００７５】
また、基板カバー９０には、コネクタ部４５ｂの形状に合わせて切り欠きが形成されているため（図７〜図９参照）、基板カバー９０が演出制御基板４５の表面部４５ａに取り付けられると、図９に示すように、コネクタ部４５ｂが露出するようになっている。
【００７６】
そして、基板６０ａには、ハーネス（配線）を介して他の基板等（例えば、演出制御基板４５、主制御基板１００など）に接続されるコネクタ部６１が設けられている。
【００７７】
上述したように、基板６０ａおよび演出制御基板４５は、ハーネスを介して他の基板等に接続されるコネクタ部をそれぞれ有しているため、基板６０ａと演出制御基板４５とは、ハーネスを介して接続されることが可能である。例えば、ハーネスの一端が基板６０ａのコネクタ部６１に接続され、当該ハーネスの他端が演出制御基板４５のコネクタ部４５ｂに接続されることにより、基板６０ａと演出制御基板４５はハーネスを介して接続された状態となる。
【００７８】
規制カバー４９は、略四角形の形状をしており、基板カバー９０とは相互に別体に形成されている。本実施の形態においては、規制カバー４９に形成されているネジ孔４９ａ，４９ｂ（図８〜１０参照）をそれぞれ介して基板カバー９０の表面部９０ａに形成されているネジ孔９０ｃ，９０ｄ（図８、９参照）にネジ等を固定することにより、規制カバー４９を基板カバー９０の表面部９０ａに取り付けることができる。但し、これに限定されず、例えば、ピン等により規制カバー４９を基板カバー９０の表面部９０ａに取り付けてもよいし、接着により取り付けてもよい。
【００７９】
そして、規制カバー４９は、ＲＯＭカートリッジ４６および基板６０ａを覆うとともに、当該ＲＯＭカートリッジ４６および基板６０ａの移動を規制することが可能な構造を有している（図１０〜図１３参照）。
【００８０】
規制カバー４９はこのような構造となっているため、基板カバー９０の表面部９０ａに取り付けられることにより（図１０および図１１参照）、ＲＯＭカートリッジ４６の一部（開口部９０ｂ（図９）から突出している部分）を上方から覆うことができ、ＲＯＭカートリッジ４６の抜け落ち等を防ぐことができる。なお、図１１は、図１０におけるＢ方向から見た制御基板ケース５０の一部を示す断面図である。
【００８１】
次に、図１２および図１３を用いて規制カバー４９の構造について説明する。
【００８２】
図１２は実施の形態２に係る規制カバーを示す斜視図である。
【００８３】
同図に示すように規制カバー４９における相対向する２辺には、上述したネジ孔４９ａ，４９ｂが外方に突出して形成されている。
【００８４】
また、図１０、図１２および図１３に示すように、ネジ孔４９ａ，４９ｂの近傍には、陥没部が形成されている。そして、当該陥没部には、基板６０ａのコネクタ部６１が露出するためのコネクタ孔４９ｃが形成されている。さらに、それぞれの陥没部の一端には、基板６０ａと係合するための係合爪４９ｄが形成されている（図１２および図１３参照）。
【００８５】
ここで、上記係合爪４９ｄは、規制カバー４９の裏面に向かって伸びている。
【００８６】
図１３は実施の形態２に係る規制カバーの裏面を示す斜視図である。
【００８７】
同図に示すように、規制カバー４９の裏面には、ＲＯＭカートリッジ４６および基板６０ａを覆うための内部空間が形成されている。
【００８８】
そして、規制カバー４９の裏面には上記内部空間を二つに区画する区画壁４９ｅが設けられている。ここで、当該区画壁４９ｅの図面右側の内部空間は、ＲＯＭカートリッジ４６を覆うための空間となっており（以下、「第１の内部空間４９ｇ」という。）、一方、図面左側の内部空間は、基板６０ａを覆うための空間となっている（以下、「第２の内部空間４９ｈ」という。）。
【００８９】
そして、第１の内部空間４９ｇを形成する相互に対向した側壁に、ＲＯＭカートリッジ４６の移動を規制するための規制部４９ｆが３つずつ、合計６つ形成されている。そして、当該規制部４９ｆがＲＯＭカートリッジ４６を挟むようにして配置されていることにより、ＲＯＭカートリッジ４６の移動を規制できるようになっている（図１５の断面図参照）。
【００９０】
ここで、本実施の形態において、規制部４９ｆとＲＯＭカートリッジ４６とは、非接触の関係となっているが、これに限られず、規制部４９ｆがＲＯＭカートリッジ４６の側面に接触するようになっていてもよい。
【００９１】
また、図１５に示すように、当該規制部４９ｆは、基板カバー開口部９０ｂ近傍から対向した側壁方向に向けて傾斜して延びている。
【００９２】
この傾斜により、ＲＯＭカートリッジ４６が第１の内部空間４９ｇに入り込む動作を円滑にすることができる。また上記規制部４９ｆの傾斜によりＲＯＭカートリッジ４６の幅方向への移動が規制されるため、ＲＯＭカートリッジ４６が自然と正しい位置に調整されるようになる。
【００９３】
また、第２の内部空間４９ｈを形成する側壁には、上述した係合爪４９ｄが設けられており、当該係合爪４９ｄが基板６０ａと係合することにより、基板６０ａを規制カバー４９に取り付けることが可能となっている（例えば、図１４および図１５参照）。なお、図１５は、図１０におけるＣ方向から見た制御基板ケース５０の一部を示す断面図である。
【００９４】
規制カバー４９は、上記のような構成となっているため、上述のように規制カバー４９に基板６０ａを取り付け、次に当該規制カバー４９を上述のように基板カバー９０の表面部９０ａに取り付けることにより、ＲＯＭカートリッジ４６および基板６０ａを覆うことが可能となっている（図１５の断面図参照）。
【００９５】
ここで、本実施の形態において、規制カバー４９は、２つの係合爪４９ｄを有しているが、これに限られず、１つであってもよいし、３つ以上の係合爪４９ｄを有していてもよい。また、基板６０ａに係合爪が形成され、当該基板６０ａの係合爪が規制カバー４９に係合することにより、基板６０ａが規制カバー４９に取り付けられるようになっていてもよい。
【００９６】
また、本実施の形態において、規制カバー４９は、６つの規制部４９ｆを有しているが、これに限られず、５つ以下であってもよいし、７つ以上の規制部４９ｆを有していてもよい。
【００９７】
本実施の形態によれば、規制カバー４９は基板カバー９０に着脱可能に設けられているため、当該規制カバー４９を取り外すことによってＲＯＭカートリッジ４６を交換することができる。そのため、取り外しに手間のかかる基板カバー９０を取り外すことなくＲＯＭカートリッジ４６を交換することができ、作業効率を向上させることができる。
【００９８】
また、本実施の形態によれば、規制カバー４９は、基板カバー開口部９０ｂから突出したＲＯＭカートリッジ４６の少なくとも一部および基板６０ａを覆っているため、ＲＯＭカートリッジ４６および基板６０ａの双方を保護することができ、より安全性を向上させることができる。
【００９９】
また、基板カバー９０は、演出制御基板４５の上部の保護と、基板６０ａの下部の保護を兼ねるようになるため、部品点数を減らすこともでき、コストの削減が可能となる。
【０１００】
また、規制カバー４９を取り外すだけでＲＯＭカートリッジ４６や基板６０ａを交換することができるので、作業効率を損なうこともない。
【０１０１】
さらに、本実施の形態によれば、基板６０ａは、配線（ハーネス）を介して演出制御基板４５に接続されているため、基板６０ａは演出制御基板４５に接近して配置されるので、両基板を接続するハーネスを短くすることもでき、そのため、コストダウンが可能になるとともに、引っ掛け等によりハーネスが損傷する危険性を減少させることができる。
【０１０２】
また、本実施の形態によれば、規制カバー４９は、裏面にケース体の移動を規制する規制部４９ｆを備えているため、ＲＯＭカートリッジ４６の移動をより確実に規制することができる。そのため、ＲＯＭカートリッジ４６に加えられる振動等によってＲＯＭカートリッジ４６が演出制御基板４５から外れることをより確実に防止できるとともに、ＲＯＭカートリッジ４６を演出制御基板４５に取り付けるためのコネクタ部が損傷することをより確実に防止することができる。
【０１０３】
さらに、本実施の形態によれば、規制カバー４９は、基板６０ａと係合する係合爪４９ｄを備えているため、基板６０ａがハーネス等を介して演出制御基板４５等に接続されていれば、規制カバー４９を取り外したとしても、規制カバー４９が当該ハーネスを介して演出制御基板４５等に取り付いた状態となるため、カバーを紛失する虞がなく、安全性を高めることができる。
【０１０４】
（実施の形態３）
【０１０５】
本発明に係る遊技機としては、パチスロ機（スロットマシン）が適用されている。このように、本発明に係る遊技機は実施の形態１のパチンコ機に限定されるものではない。
【０１０６】
以下において、本実施の形態の遊技機について説明する。なお、ここでは、上述の実施の形態１の遊技機との相違点についてのみ説明する。
【０１０７】
図１６は、本実施の形態に係る遊技機７０を示す外観斜視図である。同図に示すように、遊技機７０は、所定の図柄が付された複数のリール等が収容された筐体７１と、筐体７１の前面に回動可能に取り付けられた扉体７２と、遊技に係る所定の演出画像（いわゆる予告画像等）が表示される液晶表示部７３とを具備する。
【０１０８】
次に、図１７を用いて扉体７２の背面側の構成について説明する。
【０１０９】
図１７に示すように、扉体７２の背面側には、最上部に、各遊技状態に応じて点滅パターンを表示する遊技状態表示基盤（電子部品）８０が設置されている。
【０１１０】
扉体７２の背面中央には、液晶表示部７３が設けられている。なお、その上部には、筐体７１に設置されたリールが視認されるリール窓８６が設けられている。
【０１１１】
液晶表示部７３の下方には、投入されたメダルがメダル受皿７４（図１６）に返却されるときに通る通路である遊技メダルキャンセルシュート８２が取り付けられている。
【０１１２】
また、遊技メダルキャンセルシュート８２の右側には、遊技メダルキャンセルシュート８２を回避するようにして、ＲＯＭカートリッジが搭載されたサブ制御基板（図示せず）が配置されている。
【０１１３】
ここで、本実施の形態のサブ制御基板においても、実施の形態１の演出制御基板４５と同じような構成がとられている。すなわち、サブ制御基板に搭載されたＲＯＭカートリッジを覆う規制カバー８５は、実施の形態１における規制カバー４８と同様の構成であり、規制カバー８５を形成し、サブ制御基板を覆う基板カバー８４は、同じく実施の形態１における基板カバー４７と同様の構成となっている。
【０１１４】
また、本実施の形態のサブ制御基板は、実施の形態２の演出制御基板４５と同じような構成がとられていてもよい。その場合、サブ制御基板に搭載されたＲＯＭカートリッジを覆う規制カバー８５は、実施の形態２における規制カバー４９と同様の構成であり、サブ制御基板を覆う基板カバー８４は、同じく実施の形態２における基板カバー９０と同様の構成となっている。
【０１１５】
もちろん、本実施の形態においても規制カバー８５を形成する基板カバー８４は、実施の形態１と同様に、サブ制御基板を覆うものに限定されない。
【０１１６】
このように、本実施の形態に示す通り、本発明を、本実施の形態に係る遊技機７０（パチスロ機）に適用することができる。
【０１１７】
また、実施の形態１〜３の規制カバー４８，４９，８５が、たとえばポリカーボネートなどの透明性を有する部材で構成されることにより、当該規制カバー４８，４９，８５に覆われたＲＯＭカートリッジ４６や基板６０ａなどが視認可能になっていてもよい。
【０１１８】
但し、上記規制カバー４８，４９，８５は、透明性を有してさえいれば、ポリカーボネート以外の部材であってもよいし、スモークがかかったような半透明の部材でもよい。また、規制カバー４８，４９，８５の一部のみが透明性を有する部材で構成されていてもよい。
【０１１９】
これにより、規制カバー４８，４９，８５を取り外さずともＲＯＭカートリッジ４６や基板６０ａ等を視認することができるため、点検が容易になるとともに、ゴト行為等の不正行為等を発見しやすくなる。
【産業上の利用可能性】
【０１２０】
以上の説明においては、本発明をパチンコ遊技機本体もしくはパチスロ遊技機本体が遊技台に取り付けられた遊技機に適用した場合が説明されているが、本発明はこれに限定されるものではなく、雀球、スマートボールあるいはゲームセンターに設置された各種ゲーム機など、種々の遊技機に適用することが可能である。
【図面の簡単な説明】
【０１２１】
【図１】実施の形態１に係る遊技機を示す斜視図である。
【図２】図１の遊技機の本体枠の背面側を示す説明図である。
【図３】実施の形態１に係る制御基板ケースの分解斜視図である。
【図４】実施の形態１に係る基板カバーの表面部に基板を搭載した場合を示す説明図である。
【図５】図３に係る制御基板ケースの断面図である。
【図６】実施の形態２に係る遊技機の本体枠の背面側を示す説明図である。
【図７】実施の形態２に係る制御基板ケースの分解斜視図である。
【図８】図７の制御基板ケースが組み立てられた状態を示す説明図である。
【図９】図８の制御基板ケースにＲＯＭカートリッジが取り付けられた状態を示す説明図である。
【図１０】ＲＯＭカートリッジおよび所定の基板が規制カバーに覆われた状態を示す説明図である。
【図１１】図１０に係る制御基板ケースをＢ方向から見た断面図である。
【図１２】実施の形態２に係る規制カバーを示す斜視図である。
【図１３】実施の形態２に係る規制カバーの裏面を示す斜視図である。
【図１４】図１３の規制カバーに所定の基板を取り付けた状態を示す斜視図である。
【図１５】図１０に係る制御基板ケースをＣ方向から見た断面図である。
【図１６】実施の形態３に係る遊技機の外観斜視図である。
【図１７】図１６のパチスロ機における扉体の背面側を示す正面図である。
【符号の説明】
【０１２２】
１  パチンコ遊技機（遊技機）
２ａ  遊技盤
３  遊技機本体
３ａ  本体枠
３ｂ  ベース枠
４  ガラス扉
５  皿ユニット
５ａ  上皿
５ｂ  下皿
６  レール
７  発射ハンドル
８ａ，８ｂ  スピーカ
１０  シャッタレバー
４０  液晶ユニット
４４  基板シート
４５  演出制御基板（制御基板）
４５ａ  演出制御基板の表面部
４６  ＲＯＭカートリッジ（ケース体）
４７，８４，９０  基板カバー
４７ａ，９０ａ  基板カバーの表面部
４８，４９，８５  規制カバー
４９ａ，４９ｂ  ネジ孔
４９ｃ  コネクタ孔
４９ｄ  係合爪
４９ｅ  区画壁
４９ｆ  規制部
４９ｇ  第１の内部空間
４９ｈ  第２の内部空間
５０  制御基板ケース
６０  基板ケース
６０ａ  基板
６０ｂ  基板カバー
６１  コネクタ部
７０  遊技機
７１  筐体
７２  扉体
７３  液晶表示部
７４  メダル受皿
８０  遊技状態表示基盤（電子部品）
８２  遊技メダルキャンセルシュート
８６  リール窓
９０ｂ  基板カバー開口部（開口部）
９０ｃ，９０ｄ  ネジ孔
１００  主制御基板
１５０  電源基板
１７０  払出制御基板
４００  貯留タンク
【図１】
2006102473.tif 000003
【図２】
2006102473.tif 000004
【図３】
2006102473.tif 000005
【図４】
2006102473.tif 000006
【図５】
2006102473.tif 000007
【図６】
2006102473.tif 000008
【図７】
2006102473.tif 000009
【図８】
2006102473.tif 000010
【図９】
2006102473.tif 000011
【図１０】
2006102473.tif 000012
【図１１】
2006102473.tif 000013
【図１２】
2006102473.tif 000014
【図１３】
2006102473.tif 000015
【図１４】
2006102473.tif 000016
【図１５】
2006102473.tif 000017
【図１６】
2006102473.tif 000018
【図１７】
2006102473.tif 000019